(57)【要約】【課題】凹凸の激しい部位等にいたるまで、印刷版の版面から十分に不要物を除去してあらたな不要物の発生することのない洗浄方法とその方法に適用する装置とを提供することを目的とする。【解決手段】架台に設けられた二本の貼り合わせロール（第一ロール７及び第二ロール６）に、それぞれ、粘着フィルム１０を巻回し、印刷版２の版面に、まず、第一ロール７を押圧し、次いで第二ロール６を押圧して、粘着フィルム１０を接着させ、印刷版２の版面から不要物を除去する。【選択図】図１
2007038438.tif 000002
【特許請求の範囲】
【請求項１】
印刷版の版面に粘着フィルムを接着して版面の不要物を粘着フィルムに接着して除去する方法において、
複数のロールのそれぞれに粘着フィルムを巻回して、これら複数のロールを、順次、印刷版の版面に押圧して粘着フィルムを接着させると共に、これら複数のロールを回転させながら前記印刷版面上を移動させて、版面の不要物を接着除去することを特徴とする印刷版の洗浄方法。
【請求項２】
印刷版の版面に粘着フィルムを接着して版面の不要物を粘着フィルムに接着して除去する方法において、
第一のロールに使用済みの粘着フィルムを巻回し、印刷版の版面に押圧して使用済み粘着フィルムを接着させると共に、このロールを回転させながら前記印刷版面上を移動させて、版面の不要物を接着除去し、
次に、未使用の粘着フィルムを第二のロールに掛け渡し、印刷版の版面に押圧して未使用粘着フィルムを接着させると共に、このロールを回転させながら前記印刷版面上を移動させて、版面の不要物を接着除去することを特徴とする印刷版の洗浄方法。
【請求項３】
前記複数のロールのうち、少なくとも１本のロールの表面硬度が８０度以上であることを特徴とする請求項１又は２記載の洗浄方法。
【請求項４】
印刷版の版面に粘着フィルムを接着して版面の不要物を粘着フィルムに接着して除去する装置において、
粘着フィルムを巻回した複数のロールと、これら複数のロールを、順次、印刷版の版面に押圧して粘着フィルムを接着させる押圧手段と、これら複数のロールを回転させる回転手段とを備えることを特徴とする印刷版の洗浄装置。
【請求項５】
前記複数のロールのうち、少なくとも１本のロールの表面硬度が８０度以上であることを特徴とする請求項４記載の洗浄装置。
【発明の詳細な説明】
【技術分野】
【０００１】
本発明は、一旦印刷した後の印刷版の版面を洗浄して不要物を除去する洗浄方法と、洗浄に使用する装置に関するものである。さらに詳しくは、印刷版の版面に粘着フィルムを接着して不要物を接着し、この粘着フィルムを剥離することによって版面から不要物を除去する方法と装置に関するものである。
【背景技術】
【０００２】
今日、印刷技術は単に紙に文字などを印刷する場合に利用されるばかりでなく、極めて多種類の製品の加工に利用されている。例えば、透明なガラス基板上に、光の三原色に相当する赤色（Ｒ）、緑色（Ｇ）、青色（Ｂ）の三色を印刷して、液晶ディスプレイのカラーフィルタ基板を製造することが可能である。
【０００３】
また、その印刷方法も多様化しており、例えば、前述のカラーフィルタの印刷には反転凸版印刷法と呼ばれる方法が利用されている。この反転凸版印刷法は、まずブランケット上に一様な厚みの印刷インキ皮膜を形成する。次に、この印刷インキ皮膜を、印刷版に接着させる。印刷版は、画線部を凹部、非画線部を凸部とする凹凸を設けたもので、その凸部（非画線部）に接触した印刷インキ皮膜を前記ブランケットから印刷版に転移させる。そして、前記ブランケットを、例えば透明ガラス基板に押圧して、画線部に残存する印刷インキ皮膜を転移させて印刷する。
【０００４】
このような印刷方法にあっては、印刷後の印刷版の凸部に印刷インキ皮膜が残存しているから、次の印刷を行う前にこの印刷インキ皮膜を除去する必要がある。
【０００５】
従来、このような不要物は、例えば、有機溶剤を散布して印刷インキ皮膜を溶解させ、ゴムなどのブレード又はドクターで掻き取ったり、あるいは有機溶剤に溶解したインキを布等で拭き取る方法等が利用されていた。
【０００６】
しかしながら、このような方法では、有機溶剤の乾燥によって前記印刷インキが固化して、却って粒子状の不要物を発生させることがあった。また、布で拭き取った場合には、この布に起因する繊維が印刷版面に接着し、不要物を発生させることもあった。
【０００７】
これに対し、例えば、スクリーン印刷用原版に粘着フィルムを接着した後剥離除去することにより、このフィルムの粘着面に前記印刷インキやその他の不要物を除去する方法が提案されている（特許文献1参照）。しかし、前記反転凸版印刷法の印刷版は表面に凹凸を有しているため、この方法を適用しても、凹凸の激しい部分や広い凹部を有する部位には粘着フィルムが追従できず、不要物を十分に除去することはできなかった。
【特許文献１】特許第３２８０３６７号公報
【発明の開示】
【発明が解決しようとする課題】
【０００８】
そこで、本発明は、凹凸の激しい部位等にいたるまで、印刷版の版面から十分に不要物を除去してあらたな不要物の発生することのない洗浄方法とその方法に適用する装置とを提供することを目的とするものである。
【課題を解決するための手段】
【０００９】
すなわち、請求項１に記載の発明は、印刷版の版面に粘着フィルムを接着して版面の不
要物を粘着フィルムに接着して除去する方法において、
複数のロールのそれぞれに粘着フィルムを巻回して、これら複数のロールを、順次、印刷版の版面に押圧して粘着フィルムを接着させると共に、これら複数のロールを回転させながら前記印刷版面上を移動させて、版面の不要物を接着除去することを特徴とする印刷版の洗浄方法である。
【００１０】
請求項１に記載の発明によれば、複数のロール間に巻回された粘着フィルムを、順次、印刷版の版面に接着して不要物を除去するため、版面の不要物が確実に粘着フィルムに接着し、この粘着フィルムの剥離に伴って除去される。また、前記複数のロールによって印刷版面に押圧しているから、凹凸の激しい部位や広い凹部のある部位にいたるまで、十分に不要物を除去することが可能となるのである。
【００１１】
次に、請求項２に記載の発明は、印刷版の版面に粘着フィルムを接着して版面の不要物を粘着フィルムに接着して除去する方法において、
第一のロールに使用済みの粘着フィルムを巻回し、印刷版の版面に押圧して使用済み粘着フィルムを接着させると共に、このロールを回転させながら前記印刷版面上を移動させて、版面の不要物を接着除去し、
次に、未使用の粘着フィルムを第二のロールに掛け渡し、印刷版の版面に押圧して未使用粘着フィルムを接着させると共に、このロールを回転させながら前記印刷版面上を移動させて、版面の不要物を接着除去することを特徴とする印刷版の洗浄方法である。
【００１２】
請求項２に記載の発明によれば、まず最初に使用済み粘着フィルムを再利用して印刷版面を洗浄し、この最初の洗浄によって除去しきれなかった不要物を、未使用の粘着フィルムを使用して洗浄するため、一層確実に不要物を除去することが可能となる。
【００１３】
また、請求項３に記載の発明は、前記複数のロールのうち、少なくとも１本のロールの表面硬度が８０度以上であることを特徴とする請求項１又は２記載の洗浄方法である。
【００１４】
請求項３に記載の発明によれば、ロールの表面硬度が８０度以上であるため、凹凸の激しい部分や広い凹部のある部位についても、確実に不要物を除去することが可能となる。
【００１５】
次に、請求項４及び５に記載の発明は、請求項１〜３の方法に適用する装置に関するもので、すなわち、請求項４に記載の発明は、印刷版の版面に粘着フィルムを接着して版面の不要物を粘着フィルムに接着して除去する装置において、
粘着フィルムを巻回した複数のロールと、これら複数のロールを、順次、印刷版の版面に押圧して粘着フィルムを接着させる押圧手段と、これら複数のロールを回転させる回転手段とを備えることを特徴とする印刷版の洗浄装置である。
【００１６】
また、請求項５に記載の発明は、前記複数のロールのうち、少なくとも１本のロールの表面硬度が８０度以上であることを特徴とする請求項４記載の洗浄装置である。
【発明の効果】
【００１７】
本発明によれば、凹凸の激しい部位等にいたるまで、印刷版の版面から十分に不要物を除去して、しかも新たな不要物の発生させることもない。
【発明を実施するための最良の形態】
【００１８】
次に、図面を参照して本発明の実施形態を説明する。
【００１９】
図面の図１は、本発明の装置を使用して印刷版の版面を洗浄する方法を示す説明図である。図において、２は印刷版を示しており、３はこの印刷版２を固定する版定番、１は印
刷版２の版面に付着した印刷インキなどの不要物を示している。
【００２０】
本発明に係る洗浄装置は、架台（図示せず）に搭載された巻出しロール８と巻取りロール９を有しており、この巻出しロール８には、粘着フィルム１０が巻回されている。また、架台は、複数のガイドロールと、二本の貼り合わせロール（第一ロール７及び第二ロール６）を備えており、これらロール７及び６は回転自在に構成されている。なお、これら二本の貼り合わせロール（第一ロール７及び第二ロール６）は、図示しない付勢手段により、図示方に付勢されている。また、これら貼り合わせロール（第一ロール７及び第二ロール６）のそばには、それぞれ、第一はがしロール５、第二はがしロール４が設けられている。
【００２１】
そして、巻出しロール８から巻き出された粘着フィルム１０は、ガイドロールを経由して、まず第二はがしロール４を通過して第二ロール６を巻回し、次に、第一ロール７を巻回する。そして、第一はがしロール５を経由して巻取りロール９によって巻き取られる。
【００２２】
後述するように、印刷版２の版面には、まず、第一ロール７が押圧され、次いで第二ロール６が押圧されるから、第二ロール６に巻回された部位の粘着フィルム１０は未使用のフィルムであり、他方、第一ロール７に巻回された部位の粘着フィルム１０は、一旦、第二ロール６によって印刷版２の版面に接着された後の使用済みのフィルムである。
【００２３】
そして、この架台（図示せず）を移動させ、図２や図３に示すように、まず、第一ロール７を印刷版の版面に接触させ、付勢手段により押圧して粘着フィルム１０を接着させ、次に、第一はがしロール５によって版面から剥離する。そして、第二ロール６を印刷版の版面に接触させ、付勢手段により押圧して粘着フィルム１０を接着させ、次に、第一はがしロール５によって版面から剥離する。なお、このとき、各ロールは架台の移動に伴って回転し、また、粘着フィルム１０は巻出しロール８から巻取りロール９に向けて走行し、巻取りロール９によって巻き取られる。図４は、こうして、印刷版面を洗浄した後の状態を示しており、第一ロール７上には未使用の粘着フィルム１０が露出しており、第二ロール６上には、一旦、第二ロール６によって印刷版２の版面に接着された後の使用済みのフィルム１０が露出している。
【００２４】
また、図５は、別の実施形態を示す説明図で、第一ロール７の代わりに二つの小ロール、第二ロール６の代わりに二つの小ロールを使用したものである。
【００２５】
本発明に係る印刷版としては、例えば、反転凸版印刷法に適用する前述の印刷版をその代表的なものとして例示できるが、この他、凸版印刷用印刷版、凹版印刷用印刷版であっても良い。また、その材質は、銅にエッチングし表面をクロム等でメッキしたもの、ガラスであっても良い。
【００２６】
また、本発明に係る第一ロール及び第二ロールは、任意の材質から構成されるものであって良く、例えば、樹脂製または金属製のものであって良い。樹脂としては、ポリエステル系樹脂、アルキド系樹脂、シリコーン系樹脂、天然ゴム、合成ゴム、アクリル系樹脂、エポキシ系樹脂、ポリ塩化ビニル樹脂、ポリ酢酸ビニル樹脂、ポリ塩化ビニリデン樹脂、エチレン−酢酸ビニル共重合樹脂などが例示できる。金属としては、例えば、鉄、銅、アルミニウム、ステンレス等が挙げられる。これら第一ロール及び第二ロールは、その表面硬度が８０度以上であることが望ましい。８０度未満の場合には、凹凸の激しい部分や広い凹部を有する部位で十分に洗浄できないことがある。なお、これら第一ロール及び第二ロールの断面形状は円に限らず、三角形や四角形等であっても良い。
【００２７】
次に、粘着フィルムとしては、そのフィルム状基材の表面に粘着剤を塗布したものが利
用できる。基材の材質に制限はなく、例えば、天然繊維や合成繊維から構成される織布又、不織布であっても良い。また、ポリオレフィン系樹脂、ポリエステル系樹脂、アクリル系樹脂、スチレン系樹脂、ポリアミド系樹脂、エポキシ系樹脂、ウレタン系樹脂、フェノール系樹脂、ポリカーボネート系樹脂、ポリ塩化ビニル樹脂、ポリ塩化ビニリデン樹脂、ポリ酢酸ビニル樹脂、エチレン−酢酸ビニル共重合樹脂、フッ素系樹脂、ゴム等であっても良い。
【００２８】
また、粘着剤としては、例えば、ポリエステル系粘着剤、アルキド系粘着剤、シリコーン系粘着剤、天然ゴムや合成ゴム等のゴム系粘着剤、アクリル系粘着剤、エポキシ系粘着剤、ビニル系粘着剤などが例示できる。
【００２９】
なお、粘着フィルムとして、粘着剤塗布面にセパレータが貼り合わせてあるものも使用できる。この場合には、巻き出しロールから巻き出した後にセパレータを剥離除去して使用すれば良い。
【００３０】
なお、粘着フィルムを印刷版の版面に接着する際の押圧力は０．１ｋｇｆ／ｃｍ2以上であることが望ましい。また、不要物が粘着フィルムに十分接着しない場合には、粘着フィルムを印刷版の版面に接着する前に、これら粘着フィルムと版面のいずれか一方又は双方を表面処理して活性化させることもできる。表面処理としては、コロナ放電処理、オゾンガスの吹き付け処理等が利用できる。
【００３１】
また、走行速度、すなわち、粘着フィルムの接着速度及び剥離速度は５０ｍｍ／秒以上であることが望ましい。
【図面の簡単な説明】
【００３２】
【図１】本発明の実施形態に係る洗浄方法の工程を示す説明図。
【図２】本発明の実施形態に係る洗浄方法の工程を示す説明図。
【図３】本発明の実施形態に係る洗浄方法の工程を示す説明図。
【図４】本発明の実施形態に係る洗浄方法の工程を示す説明図。
【図５】本発明の他の実施形態に係る洗浄方法を示す説明図。
【符号の説明】
【００３３】
１‥不要物
２‥印刷版光源
４‥第二はがしロール
５‥第一はがしロール
６‥第二ロール
７‥第一ロール
８‥巻出しロール
９‥巻取りロール
【図１】
2007038438.tif 000003
【図２】
2007038438.tif 000004
【図３】
2007038438.tif 000005
【図４】
2007038438.tif 000006
【図５】
2007038438.tif 000007